(57)【要約】      （修正有）【課題】水平方向に回転する機能を有する一種の旋回タイプの回転軸構造を提供する。【解決手段】枢軸部品と、シート体でそのカラー両側に連結部を設け、カラーを枢軸部品が貫通し、その底部周縁に少なくとも1個のカムが突設された回転部品と、筒体で、その軸筒両側にジョイント部を設け、軸筒内部の周縁にスペーサを設け、また枢軸部品を貫通させるために軸孔を形成し、この中のスペーサの開始位置にカム溝を凹設し、別途適当な位置に少なくとも１個の係止溝を凹設した固定部品と、軸筒下方の軸孔に隣接すると共に枢軸が貫通するための弾性体と、枢軸部品の底端と結合し軸筒と共同で弾性体を挟み込む端部ストッパーを含み、旋回部品を押進することで、カムをカム溝から離脱させると共にスペーサに沿って移動させ、両者の距離の変化により弾性体を圧縮させ、カムを係止溝に落ち込ませることで係止状態を呈し、弾性体を伸長させる。【選択図】図１
0003117391.tif 000002
【実用新案登録請求の範囲】
【請求項１】
一種の旋回タイプの回転軸構造で、バー体である枢軸部品と、
シート体でそのカラー両側に連結部を設け、該カラーを枢軸部品が貫通することに提供され、その底部周縁に少なくとも1個のカムが突設された回転部品と、
筒体で、その軸筒両側にジョイント部を設け、該軸筒内部の周縁にスペーサを設け、また枢軸部品を貫通させるために軸孔を形成し、この中の該スペーサの開始位置にカム溝を凹設し、別途適当な位置に少なくとも1個の係止溝を凹設した固定部品と、
軸筒下方の軸孔に隣接すると共に枢軸が貫通するための弾性体と、
枢軸部品の底端と結合し軸筒と共同で弾性体を挟み込む端部ストッパーを含み、
旋回部品を押進することによって、該カムをカム溝から離脱させると共にスペーサに沿って移動させ、また両者の距離が変わることにより弾性体を圧縮させ、該カムを係止溝に落ち込ませることで係止状態を呈し、該弾性体を伸長させることを特徴とする旋回タイプの回転軸構造。
【請求項２】
請求項１記載の旋回タイプの回転軸構造において、その枢軸部品は、中空バー体で、その頂部が外側に向かってエッジストッパーが突起し、また、回転部品の円孔頂部の周縁に、該ストップリングを収納するためのリング状凹部を設けたことを特徴とする、旋回タイプの回転軸構造。
【請求項３】
請求項１記載の旋回タイプの回転軸構造において、その枢軸部品底部に接合部を設け、また、該端部ストッパーの貫通孔が該接合部に対応する位置に継合部を設け、並びに、該接合部と継合部を一体に結合したことを特徴とする、旋回タイプの回転軸構造。
【請求項４】
請求項３記載の旋回タイプの回転軸構造において、その接合部は、２つの相対設置したミリング面で、また、該継合部が、２つの相対設置した水平切削面で、この両者を継合、及び、リベット接合することで一体に結合させたことを特徴とする、旋回タイプの回転軸構造。
【請求項５】
請求項１記載の旋回タイプの回転軸構造において、その連結部、及び、ジョイント部には、少なくとも１個の連結用孔、及び、ジョイント用孔を具備することを特徴とする、旋回タイプの回転軸構造。
【請求項６】
請求項１記載の旋回タイプの回転軸構造において、その連結部、及び、ジョイント部は、ミリング面を具えた柱体、三角柱、正方柱などの多角形の柱体であることを特徴とする、旋回タイプの回転軸構造。
【請求項７】
請求項１記載の旋回タイプの回転軸構造において、その弾性体としてスプリング、波形のスプリングシート、或いは、蝶形のスプリングシートを選択することを特徴とする、旋回タイプの回転軸構造。
【請求項８】
請求項１記載の旋回タイプの回転軸構造において、そのカラー表面は、弓形を呈し、その中段に高度制御点を具え、カム溝、及び、係止溝に向かう両側が下方に向かった斜め状態を呈することを特徴とする、旋回タイプの回転軸構造。
【請求項９】
請求項１記載の旋回タイプの回転軸構造において、そのカム溝と係止溝が、１８０度の相対位置を呈することを特徴とする、旋回タイプの回転軸構造。
【請求項１０】
請求項１記載の旋回タイプの回転軸構造において、更に一歩進んで、カラーにスリーブ接続し、且つ、表面にラッチが突起するリミット部品と、また該カラーと両連結部の間にストッパー溝を凹設することを含み、該旋回部品が回転する時、その片側のストッパー溝が軸のラッチを移動するように押進することを特徴とする、旋回タイプの回転軸構造。
【考案の詳細な説明】
【技術分野】
【０００１】
本考案は一種の回転軸構造に係り、特に水平方向への旋回機能を具えた旋回タイプの回転軸構造に関するものである。
【背景技術】
【０００２】
例えばノートブック型コンピュータ、電子辞書、PDA（個人用の携帯情報端末）、ポータブルAVプレーヤー、或いは、二つ折りタイプの携帯電話などといった二つ折りタイプのカバーを装備する消費性電子製品は、大抵において主体部分が下半部として置かれ、また、回転軸を介して上半部のカバー部と連結することで、カバー部が主体部と相対するように開閉できる。これにより、回転軸は、上記製品の良し悪しを決定する大きな要因となる。しかし消費性電子製品の多様化された発展に伴い、携帯電話で言うと、上記二つ折りタイプの他にスライド式など多種に渡り、更に電子製品の多様なスタイルが加わることで、消費者の購買欲を刺激してきた。
【０００３】
事実、上記二つ折りタイプ、或いは、スライド式の電子製品の大部分には、例えば液晶ディスプレイ（LCD）といった表示スクリーンをカバー部に設け、回転軸の設置を介して主体部と相対するようにオープンクローズ、或いは、開閉させ、また、接触ミスが発生することを避けるため、例えばキーボードといった操作部で操作、或いは、遮蔽することができる。しかし、上記の回転軸構造には、水平方向に旋回する機能が提供されていなかったため、製品の研究開発に大きな制限が設けられ、上記２例の回転軸構造が、該項目の水平方向への旋回、及び、定置要求を解決できなかったことにより、関連業者は、この課題の改善を待ち望んでいた。
【考案の開示】
【考案が解決しようとする課題】
【０００４】
本考案はこのような問題を鑑みてなされたものであり、本考案の出願人は、長年における回転軸設計と共にその生産販売経験に基づき、回転軸構造に水平方向の旋回を具える機能を提供したいと希望し、度重なる実験とテストを経ることで、本考案である「旋回タイプの回転軸構造」として発展させた。
【課題を解決するための手段】
【０００５】
上述の目的を達成するために、本考案は、一種の旋回タイプの回転軸構造で、バー体である枢軸部品と、シート体でそのカラー両側に連結部を設け、該カラーを枢軸部品が貫通することに提供され、その底部周縁に少なくとも１個のカムが突設された回転部品と、筒体で、その軸筒両側にジョイント部を設け、該軸筒内部の周縁にスペーサを設け、また枢軸部品を貫通させるために軸孔を形成し、この中の該スペーサの開始位置にカム溝を凹設し、別途適当な位置に少なくとも１個の係止溝を凹設した固定部品と、軸筒下方の軸孔に隣接すると共に枢軸が貫通するための弾性体と、枢軸部品の底端と結合し軸筒と共同で弾性体を挟み込む端部ストッパーを含み、旋回部品を押進することによって、該カムをカム溝から離脱させると共にスペーサに沿って移動させ、また両者の距離が変わることにより弾性体を圧縮させ、該カムを係止溝に落ち込ませることで係止状態を呈し、該弾性体を伸長させるものである。
【０００６】
本考案の次なる目的は、一種の旋回タイプの回転軸構造を提供することにあり、この中の該枢軸部品は中空バー体で、その頂部が外側に向かってエッジストッパーが突起し、また、回転部品の円孔頂部の周縁に、該ストップリングを収納するためのリング状凹部を設けた。さらに、該枢軸部品底部に接合部を設け、また、該端部ストッパーの貫通孔が該接合部に対応する位置に継合部を設け、並びに、該接合部と継合部を一体に結合した。この中の、該接合部は、２つの相対設置したミリング面で、また、該継合部が２つの相対設置した水平切削面で、この両者を継合、及び、リベット接合することで一体に結合させた。
【０００７】
本考案の更なる目的は、一種の旋回タイプの回転軸構造を提供することにあり、この中の連結部、及び、ジョイント部には少なくとも１個の連結用孔、及び、ジョイント用孔を具備する。或いは、該連結部、及び、ジョイント部にミリング面を具えた柱体、三角柱、正方柱などの多角形の柱体である。
【０００８】
本考案の更なるもう一つの目的は、一種の旋回タイプの回転軸構造を提供することにあり、この中の該弾性体としてスプリング、波形のスプリングシート、或いは、蝶形のスプリングシートを選択することにある。
【０００９】
本考案の更なるもう一つの目的は、一種の旋回タイプの回転軸構造を提供することにあり、この中の該カラー表面が弓形を呈し、その中段に高度制御点を具え、カム溝、及び、係止溝に向かう両側が下方に向かった斜め状態を呈することにある。
【００１０】
本考案のまたもう一つの目的は、一種の旋回タイプの回転軸構造を提供することにあり、更に一歩進んで、カラーにスリーブ接続し、且つ、表面にラッチが突起するリミット部品と、また該カラーと両連結部の間にストッパー溝を凹設することを含み、該旋回部品が回転する時、その片側のストッパー溝が軸のラッチを移動するように押進することにある。
【実施例】
【００１１】
「図１」から「図２」に示すとおり、基本的に、本考案である旋回タイプの回転軸構造は、枢軸部品１、旋回部品２、固定部品３、弾性体４、及び、端部ストッパー５が組み合わされて構成している。この中の該「旋回」と「固定」は、上記両部品の動作状態を制限するものでは無く、実施時において、該旋回部品２も固定状態を維持し、固定部品３から旋回動作が生じることができ、あれら部品が結合する物品によって決定される。
【００１２】
該枢軸部品１は、中空バー体で、頂部から外側に向かってストップリング１１を突起し、また、底部に後続する端部ストッパー５と結合するための２つの相対設置したミリング面のような接合部１２を設ける。
【００１３】
旋回部品２は、シート体で、その両側が連結部２１で例えばカバー部のような物品と結合し、図に示すような該連結部２１には少なくとも１個の連結用孔２１１を具え、例えばネジのような従来の結合部品を貫通させた後、物品に締め固定する。その他、該連結部２１は、物品上に嵌挿、及び、固定するためのミリング面を具えた柱体、三角柱、正方柱などといった多角形の柱体とすることができる。
【００１４】
また、本考案の特徴として、該両連結部２１の間に別途カラー２２を設け、その中央の円孔２２１は枢軸部品１の貫通に提供され、且つ、底部周縁に少なくとも１個のカム２２２を突設した。その他、該枢軸部品１のストップリング１１を収納するため、該円孔２２１頂部周縁にリング状凹部２２３を具えた。
【００１５】
固定部品３は、例えば主体部といった別の物品と結合するため、軸筒３１の両側にジョイント部３２を設けた。図に示すような該連結部３２には少なくとも１個の連結用孔３２１を具え、例えばネジのような従来の結合部品を貫通させた後、物品に締め固定する。その他、該連結部２１は、物品上に嵌挿、及び、固定するためのミリング面を具えた柱体、三角柱、正方柱などといった多角形の柱体とすることができる。
【００１６】
また、本考案の特徴として、該軸筒３１内部中段の周縁に、スペーサ３３を設け、また、枢軸部品１が貫通するために軸孔３４を形成した。この中の該スペーサ３３にカム溝３３１を凹設して、カム２２を収納と定置のために提供して開始点とした。その他、スペーサ３３を適当な位置において別途少なくとも１個の係止溝３３２を凹設して、該カム２２２が回転した時の係止と定置に用いる。図に示すとおり、該カム溝３３１と係止溝３３２を相対的な設置（１８０°）し、これは該旋回部品２が左右水平方向に１８０度旋回することを示している。
【００１７】
更に、該旋回部品２が旋回運動の過程中において、オートオープン、及び、クローズ機能を具えるために、該カラー３３の表面が弓形を呈し、つまり、カム溝３３１と係止溝３３２の間の中段に高度制御点３３３を具え、その両側が下方に向かって傾斜する。該カム２２２が該高度制御点３３３を越えると弾性体4の伸長により、カム２２２をカム溝３３１、或いは、係止溝３３２に向かって強制的に移動させることで、オートオープン、或いは、クローズ機能を具えさせる。
【００１８】
弾性体4は、軸筒３１の下方の軸孔３４に隣接して枢軸部品１を貫通させ、主に該枢軸部品１の上下移動機能を提供する。図に示すように、該弾性体４を実施した時は、スプリングであったが、これに限定されるものではなく、波形のスプリングシート、或いは、蝶形のスプリングシートとすることもできる。
【００１９】
端部ストッパー５は、枢軸部品１の底端部と結合し、該枢軸部品１に伴って縦方向に移動できよう、該端部ストッパー５の貫通孔５１が、該接合部１２に相対する位置となり、例えば水平切削面のような継合部５１１を設けて両者を継合し、更にリベット接合のように従来の結合手順で、両者を一体に結合する。
【００２０】
更に、該旋回部品２に旋回時の角度制限を具えさせるため、さらに該カラー２２にリミット部品６をスリーブ接続し、その表面にラッチ６１を突起させた。また、該カラー２２が両連結部２１に隣接する間にストップ溝２２４を設け、つまり、該旋回部品２が旋回する時、その片側のストップ溝２２４が軸のラッチ６１を押進し、カム２２２が係止溝３３２内に落ち込むまで、リミット部品６が旋回部品２と伴に旋回させる。また、本考案を組み立てた後の断面図、及び、立体図を「図２」、及び、「図３」に示した。
【００２１】
本考案を実際に操作する時、その旋回部品２、及び、固定部品３は、両側の連結部２１、及び、ジョイント部３２を介してカバー部、及び、主体部に定置し、且つ、該カバー部が例えばキーボードのような操作部を遮蔽し、キーボードを使用したい場合、指でカバー部を押推すると、旋回部品２が押進される方向に従って左、或いは、右に移動し、この時、該カム２２２がカム溝３３１を離脱し、スペーサ３３にタッチした時、両者の距離が高く変化し、徐々に弾性体４を圧縮することで、カバー部を上部に略移動させる。該カム２２２が高度制御点３３３を越えた後、距離の縮減により、弾性体４を伸長させ、また、該カム２２２が係止状態を形成するまで自動的に係止溝３３２に向かって強制的に移動させる。この時、図４に示すように、該カバー部が主体部と相対して水平に１８０度旋回して、使用者にキーボードを容易に操作させることができ、使用しない時は、逆方向への操作を行うのみでよい。
【００２２】
つまり、本考案の実施を経ることによって、主体部とカバー部のオープンとクローズ方法の変更だけでなく、旋回タイプの回転軸構造に水平方向への左、右旋回機能を具えさせる。その他、該カラーの弓形設計を介することで、高度制御点の両側が下方に向かって斜め状態となり、カムが該高度制御点を越えた後、自動的にカム溝、或いは、係止溝に向かって強制的に移動させることで、オートオープン、或いは、クローズする機能を具えさせる。さらに、本考案の旋回タイプの回転軸構造の体積が小さいため、例えば携帯電話、デジタルカメラ、デジタルビデオ、PDA、或いは、ポケットゲームなどといった「軽、薄、短、小」を要求される電子製品に運用でき、同種の物品として過去見ることできなかった最良の構造となる。
【００２３】
本考案に開示されたものは、好ましい実施例の１つであり、各種の局部的な改変、或いは、修飾について、本考案の技術精神に基づき、この技術を熟知している任意のものが、容易に推察できるものも本考案の実用新案登録請求の範囲に属するものとする。
【図面の簡単な説明】
【００２４】
【図１】本考案である旋回タイプ回転軸構造の立体分解図である。
【図２】本考案を組み立てた後の断面図である。
【図３】本考案を組み立てた後の立体図である。
【図４】本考案が物品と結合した後で、定置まで回転した時の立体図である。
【符号の説明】
【００２５】
1 枢軸部品
2 旋回部品
3 固定部品
4 弾性体
5 端部ストッパー
6 リミット部品
11 ストップリング
12 接合部
21 連結部
22 カラー
31 軸筒
32 ジョイント部
33 スペーサ
34 軸孔
51 貫通孔
61 ラッチ
211 連結用孔
221    円孔
222 カム
223 リング状凹部
224 ストップ溝
321 連結用孔
331 カム溝
332   係止溝
333 高度制御点
511 継合部
【図１】
0003117391.tif 000003
【図２】
0003117391.tif 000004
【図３】
0003117391.tif 000005
【図４】
0003117391.tif 000006